(57)【要約】【課題】画像濃度調整又はトナー濃度調整の目標値との比較を行う位置として定められた位置とは異なる位置に設けられた複数の測定手段を利用して、当該定められた位置における画像濃度又はトナー濃度を求めること。【解決手段】画像形成装置１００は、感光体１１と中間転写体２０と記録媒体Ｐとのいずれかの表面の移動方向と交差する方向の互いに異なる位置に、画像を光学的に検出する複数のセンサ２４を有する。制御部４は、画像形成部７により前記表面に調整用画像を形成し、センサ２４の出力信号に基づいて調整用画像の濃度を算出し、前記表面上の特定の位置における画像の濃度が前記互いに異なる位置の画像の濃度の加重平均によって求められるように前記互いに異なる位置に対して定められた重みを用いて、算出された濃度の加重平均値を算出し、算出された加重平均値を前記調整用画像に対応する目標値に近づけるための調整を画像形成部７に施す。【選択図】図１
2013041161.tif 000002
【特許請求の範囲】
【請求項１】
光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段と、
前記感光体と前記像保持体のいずれかの表面の移動方向と交差する方向の互いに異なる位置に設けられた、前記画像を光学的に検出する複数の検出手段と、
画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段と、
前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段と、
前記加重平均値算出手段で算出された加重平均値を前記調整用画像に対応する目標値に近づけるための調整を前記画像形成手段に施す調整手段と
を有することを特徴とする画像形成装置。
【請求項２】
前記現像装置は、
前記感光体と互いの外周面を対向させて設けられた現像ローラと、
前記現像ローラの軸方向に沿って一方向に現像剤を搬送する搬送手段と
を有し、
前記現像剤の搬送方向上流側の前記重みが当該搬送方向下流側の前記重みよりも小さい値に定められている
ことを特徴とする請求項１に記載の画像形成装置。
【請求項３】
定められた期間内に前記現像装置によって現像された画素数の画像１ページ当たりの平均値が閾値を超えた場合に、前記搬送方向上流側の重みが前記搬送方向下流側の重みよりも相対的に低下するように各重みを変更する変更手段を有することを特徴とする請求項２に記載の画像形成装置。
【請求項４】
前記現像装置にトナーを補給するトナー補給手段と、
前記トナー補給手段による１回のトナー補給に費やす時間の長さが閾値を超えた場合に、前記搬送方向上流側の重みが前記搬送方向下流側の重みよりも相対的に低下するように各重みを変更する変更手段と
を有することを特徴とする請求項２に記載の画像形成装置。
【請求項５】
前記変更手段は、前記トナー補給手段により補給されたトナーが前記現像ローラの外周面に到達した場合に前記各重みを変更することを特徴とする請求項４に記載の画像形成装置。
【請求項６】
前記画像形成手段の動作速度が閾値を超えた場合に、前記搬送方向上流側の重みが前記搬送方向下流側の重みよりも相対的に低下するように各重みを変更する変更手段を有することを特徴とする請求項２に記載の画像形成装置。
【請求項７】
前記画像形成手段の動作速度が閾値未満の場合に、前記搬送方向下流側の重みが前記搬送方向上流側の重みよりも相対的に低下するように各重みを変更する変更手段を有することを特徴とする請求項２に記載の画像形成装置。
【請求項８】
光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、
前記搬送路上の互いに異なる位置に設けられた、前記トナーの濃度を測定する複数の測定手段と、
画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、
前記加重平均値算出手段で算出された加重平均値を目標値に近づけるための調整を前記現像装置に施す調整手段と
を有することを特徴とする画像形成装置。
【請求項９】
光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段と、前記感光体と前記像保持体のいずれかの表面の移動方向と交差する方向の互いに異なる位置に設けられた、前記画像を光学的に検出する複数の検出手段とを有する画像形成装置との間で通信を行う通信手段と、
画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段と、
前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段と、
前記加重平均値算出手段で算出された加重平均値を前記調整用画像に対応する目標値に近づけるための調整を前記画像形成手段に施す調整手段と
を有することを特徴とする制御装置。
【請求項１０】
光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、前記搬送路上の互いに異なる位置に設けられた、前記トナーの濃度を測定する複数の測定手段とを有する画像形成装置との間で通信を行う通信手段と、
画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、
前記加重平均値算出手段で算出された加重平均値を目標値に近づけるための調整を前記現像装置に施す調整手段と
を有することを特徴とする制御装置。
【請求項１１】
コンピュータを、
光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段と、前記感光体と前記像保持体のいずれかの表面の移動方向と交差する方向の互いに異なる位置に設けられた、前記画像を光学的に検出する複数の検出手段とを有する画像形成装置との間で通信を行う通信手段と、
画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段と、
前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段と、
前記加重平均値算出手段で算出された加重平均値を前記調整用画像に対応する目標値に近づけるための調整を前記画像形成手段に施す調整手段
として機能させるためのプログラム。
【請求項１２】
コンピュータを、
光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、前記搬送路上の互いに異なる位置に設けられた、前記トナーの濃度を測定する複数の測定手段とを有する画像形成装置との間で通信を行う通信手段と、
画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、
前記加重平均値算出手段で算出された加重平均値を目標値に近づけるための調整を前記現像装置に施す調整手段
として機能させるためのプログラム。
【発明の詳細な説明】
【技術分野】
【０００１】
本発明は、画像形成装置、制御装置及びプログラムに関する。
【背景技術】
【０００２】
画像形成装置で形成される画像の濃度が画像データに対応する濃度から乖離することがある。そのため、形成された画像の濃度を測定し、この濃度と画像データに対応する濃度との差が小さくなるように画像形成装置を調整する技術が提案されている。
例えば、特許文献１では、反射光の光量を測定する２つのセンサを中間転写体の表面付近に設け、中間転写体上にトナー像がない状態で２つのセンサの出力値を比較し、出力値の大きい方のセンサを用いて画像の濃度を測定することが提案されている。
特許文献２では、反射光の光量を測定する２つのセンサを中間転写体の表面付近の、現像ローラに対するトナー供給方向の上流側と下流側に対応する位置に設け、定められた時間だけ現像装置にトナーを補給した後、２つのセンサの出力値を比較し、両者の出力値の差に基づいて中間転写体の汚れの有無を判断し、汚れの有無に応じてトナー濃度等を変更することが提案されている。
【先行技術文献】
【特許文献】
【０００３】
【特許文献１】特開２００５−１７５４２号公報
【特許文献２】特許第４０５１５３３号公報
【発明の概要】
【発明が解決しようとする課題】
【０００４】
本発明は、画像濃度調整又はトナー濃度調整の目標値との比較を行う位置として定められた位置とは異なる位置に設けられた複数の測定手段を利用して、当該定められた位置における画像濃度又はトナー濃度を求めることを目的とする。
【課題を解決するための手段】
【０００５】
請求項１に係る画像形成装置は、光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段と、前記感光体と前記像保持体のいずれかの表面の移動方向と交差する方向の互いに異なる位置に設けられた、前記画像を光学的に検出する複数の検出手段と、画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段と、前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段と、前記加重平均値算出手段で算出された加重平均値を前記調整用画像に対応する目標値に近づけるための調整を前記画像形成手段に施す調整手段とを有することを特徴とする。
【０００６】
請求項２に係る画像形成装置は、請求項１に記載の画像形成装置において、前記現像装置は、前記感光体と互いの外周面を対向させて設けられた現像ローラと、前記現像ローラの軸方向に沿って一方向に現像剤を搬送する搬送手段とを有し、前記現像剤の搬送方向上流側の前記重みが当該搬送方向下流側の前記重みよりも小さい値に定められていることを特徴とする。
請求項３に係る画像形成装置は、請求項２に記載の画像形成装置において、定められた期間内に前記現像装置によって現像された画素数の画像１ページ当たりの平均値が閾値を超えた場合に、前記搬送方向上流側の重みが前記搬送方向下流側の重みよりも相対的に低下するように各重みを変更する変更手段を有することを特徴とする。
請求項４に係る画像形成装置は、請求項２に記載の画像形成装置において、前記現像装置にトナーを補給するトナー補給手段と、前記トナー補給手段による１回のトナー補給に費やす時間の長さが閾値を超えた場合に、前記搬送方向上流側の重みが前記搬送方向下流側の重みよりも相対的に低下するように各重みを変更する変更手段とを有することを特徴とする。
請求項５に係る画像形成装置は、請求項４に記載の画像形成装置において、前記変更手段は、前記トナー補給手段により補給されたトナーが前記現像ローラの外周面に到達した場合に前記各重みを変更することを特徴とする。
請求項６に係る画像形成装置は、請求項２に記載の画像形成装置において、前記画像形成手段の動作速度が閾値を超えた場合に、前記搬送方向上流側の重みが前記搬送方向下流側の重みよりも相対的に低下するように各重みを変更する変更手段を有することを特徴とする。
請求項７に係る画像形成装置は、請求項２に記載の画像形成装置において、前記画像形成手段の動作速度が閾値未満の場合に、前記搬送方向下流側の重みが前記搬送方向上流側の重みよりも相対的に低下するように各重みを変更する変更手段を有することを特徴とする。
【０００７】
請求項８に係る画像形成装置は、光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、前記搬送路上の互いに異なる位置に設けられた、前記トナーの濃度を測定する複数の測定手段と、画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、前記加重平均値算出手段で算出された加重平均値を目標値に近づけるための調整を前記現像装置に施す調整手段とを有することを特徴とする。
【０００８】
請求項９に係る制御装置は、光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段と、前記感光体と前記像保持体のいずれかの表面の移動方向と交差する方向の互いに異なる位置に設けられた、前記画像を光学的に検出する複数の検出手段とを有する画像形成装置との間で通信を行う通信手段と、画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段と、前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段と、前記加重平均値算出手段で算出された加重平均値を前記調整用画像に対応する目標値に近づけるための調整を前記画像形成手段に施す調整手段とを有することを特徴とする。
請求項１０に係る制御装置は、光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、前記搬送路上の互いに異なる位置に設けられた、前記トナーの濃度を測定する複数の測定手段とを有する画像形成装置との間で通信を行う通信手段と、画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、前記加重平均値算出手段で算出された加重平均値を目標値に近づけるための調整を前記現像装置に施す調整手段とを有することを特徴とする。
【０００９】
請求項１１に係るプログラムは、コンピュータを、光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段と、前記感光体と前記像保持体のいずれかの表面の移動方向と交差する方向の互いに異なる位置に設けられた、前記画像を光学的に検出する複数の検出手段とを有する画像形成装置との間で通信を行う通信手段と、画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段と、前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段と、前記加重平均値算出手段で算出された加重平均値を前記調整用画像に対応する目標値に近づけるための調整を前記画像形成手段に施す調整手段として機能させる。
請求項１２に係るプログラムは、コンピュータを、光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、前記搬送路上の互いに異なる位置に設けられた、前記トナーの濃度を測定する複数の測定手段とを有する画像形成装置との間で通信を行う通信手段と、画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、前記加重平均値算出手段で算出された加重平均値を目標値に近づけるための調整を前記現像装置に施す調整手段として機能させる。
【発明の効果】
【００１０】
請求項１、９、１１に係る発明によれば、画像濃度調整の目標値との比較を行う位置として定められた位置とは異なる位置に設けられた複数の測定手段を利用して、当該定められた位置における画像濃度を求めることができる。
請求項２に係る発明によれば、上流側の重みが下流側の重みよりも小さくない場合と比較して、上流側における画像濃度の変動が加重平均値に与える影響を抑制することができる。
請求項３、４に係る発明によれば、重みを変更しない場合と比べて、上流側の画像濃度の上昇が加重平均値に与える影響を抑制することができる。
請求項５に係る発明によれば、重みを変更する時期を適切に定めることができる。
請求項６、７に係る発明によれば、重みを変更しない場合と比べて、画像形成手段の動作速度が加重平均値に与える影響を抑制することができる。
請求項８、１０、１２に係る発明によれば、トナー濃度調整の目標値との比較を行う位置として定められた位置とは異なる位置に設けられた複数の測定手段を利用して、当該定められた位置におけるトナー濃度を求めることができる。
【図面の簡単な説明】
【００１１】
【図１】画像形成装置１００のハードウェア構成を示す図である。
【図２】画像形成エンジン１０の構成を画像形成装置１００の正面側から示した図である。
【図３】現像装置１４の内部構造を画像形成装置１００の正面側から示した図である。
【図４】現像装置１４の内部構造を画像形成装置１００の上側から示した図である。
【図５】トナー濃度センサ１７の構成を示す図である。
【図６】第１センサ２４Ａと第２センサ２４Ｂが設けられた位置を示す図である。
【図７】センサ２４の構成を示す図である。
【図８】調整用画像２５を示す図である。
【図９】画像形成装置で形成された画像濃度の分布を示す図である。
【図１０】制御部４が実行する処理の手順を示す図である。
【図１１】制御部４が実行する処理の手順を示す図である。
【図１２】制御部４が実行する処理の手順を示す図である。
【図１３】制御部４が実行する処理の手順を示す図である。
【図１４】画像形成装置１００の機能構成を示すブロック図である。
【図１５】画像形成装置１００の機能構成を示すブロック図である。
【図１６】制御装置２００と画像形成装置３００の機能構成を示すブロック図である。
【発明を実施するための形態】
【００１２】
（１）実施形態の基本構成
図１は、画像形成装置１００のハードウェア構成を示す図である。
記憶部５は、例えばハードディスク記憶装置であり、ＯＳ（Operating System）、アプリケーションプログラム等が記憶されている。制御部４は、ＣＰＵ（Central Processing Unit）、ＲＯＭ（Read Only Memory）、ＲＡＭ（Random Access Memory）を有する（いずれも図示省略）。ＲＯＭには、ハードウェアやＯＳの起動の手順を記述したファームウェアが記憶されている。ＲＡＭは、ＣＰＵがプログラムを実行する際のデータの記憶に用いられる。
指示受付部１は、ユーザが画像形成装置１００に指示を入力するための種々の操作子を有する。指示受付部１で受け付けられた指示は制御部４に送られ、制御部４はこの指示に従って画像形成装置１００の動作を制御する。
通信Ｉ／Ｆ（Interface）６は、ＬＡＮ（Local Area Network）等の通信手段（図示省略）に接続されており、画像形成装置１００と他の装置との通信を仲介する。
【００１３】
画像読取部２は、原稿を光学的に読み取って画像信号を生成する。具体的には、画像読取部２は、プラテンガラス、光源、光学系及び撮像素子を備え（いずれも図示省略）、プラテンガラス上に載せられた原稿に対して光源が光を照射し、原稿で反射された反射光が光学系を介してＲ（Red）色、Ｇ（Green）色、Ｂ（Blue）色に分解されて撮像素子に入射する。撮像素子は、入射した光を画像信号に変換し、画像信号を画像処理部３に供給する。
画像処理部３は、画像読取部２から供給された画像信号をＡ／Ｄ変換し、ノイズ除去、ガンマ補正、Ｒ色、Ｇ色、Ｂ色からＹ（Yellow）色、Ｍ（Magenta）色、Ｃ（Cyan）色、Ｋ（Black）色への変換、スクリーン処理等を施す。こうして、色毎、画素毎の階調を表す画像データが生成される。
【００１４】
画像形成部７の主な構成要素は、画像形成エンジン１０Ｙ、１０Ｍ、１０Ｃ、１０Ｋ、中間転写体２０、媒体搬送部３０、定着装置５０である。
画像形成エンジン１０Ｙ、１０Ｍ、１０Ｃ、１０Ｋは、画像処理部３から供給された画像データに基づいて、電子写真方式により、それぞれＹ色、Ｍ色、Ｃ色、Ｋ色のトナー像を中間転写体２０の表面に重ねて形成する。各画像形成エンジンの構成は共通であるから、各画像形成エンジンを区別する必要のない場合には、画像形成エンジン１０と総称する。また、その場合、画像形成エンジン１０の構成要素についても、Ｙ、Ｍ、Ｃ、Ｋの表記を省略する。
【００１５】
図２は、画像形成エンジン１０の構成を画像形成装置１００の正面側から示した図である。画像形成エンジン１０は、感光体１１の周囲に、帯電装置１２、露光装置１３、現像装置１４、１次転写装置１５等を設けて構成されている。
感光体１１は、矢印Ａの方向に回転駆動されるローラであり、その表面には、光の照射によって電位が変化する半導体で作製された感光層が設けられている。
帯電装置１２は、例えば、コロトロン型帯電装置、ローラ式帯電装置等であり、感光体１１の表面を予め定められた電位に帯電させる。
露光装置１３は、感光体１１の表面に潜像を書き込む。具体的には、画像処理部３から供給された画像データで表される各画素の階調に対応するレーザビームＬＢを生成し、このレーザビームＬＢで感光体１１の表面を定められた主走査方向（例えば、感光体１１の軸方向）に走査する。すると、感光体１１の表面では、レーザビームＬＢの照射された部分の電位が低下することによって潜像が形成される。感光体１１が回転駆動されることによって主走査方向の走査線単位での潜像の書き込みが周方向（副走査方向）に繰り返される。
【００１６】
現像装置１４は、感光体１１の表面に形成された潜像を現像する。図３は、現像装置１４の内部構造を画像形成装置１００の正面側から示した図である。図４は、現像装置１４の内部構造を画像形成装置１００の上側から示した図である。筐体１４１の内部には、感光体１１側から順に、現像ローラ１４２、第１搬送部材１４３、第２搬送部材１４４が設けられている。現像ローラ１４２は、磁力により磁性体を吸着するローラである。第１搬送部材１４３と第２搬送部材１４４は、軸の周りにらせん状の羽根を設けたスクリューである。筐体１４１の感光体１１に面した部分には、現像ローラ１４２の外周面を露出させるように開口部１４１Ａが設けられており、これによって現像ローラ１４２と感光体１１の互いの外周面が対向させられている。第１搬送部材１４３と第２搬送部材１４４の間には両部材の軸方向に延びる隔壁１４５が設けられており、隔壁１４５の長手方向の両端と筐体１４１の側壁との間には空隙１４５Ａ、１４５Ｂが設けられている。隔壁１４５を境として第１搬送部材１４３側の空間を第１搬送路１４３Ａ、第２搬送部材１４４側の空間を第２搬送路１４４Ａと呼ぶ。
【００１７】
筐体１４１の内部には、トナーとキャリアからなる２成分現像剤が収容されている。トナーは、樹脂製の粉体をＹ色、Ｍ色、Ｃ色、Ｋ色のいずれかの色材で着色したものである。キャリアは、磁性体で作製された粉体である。第１搬送部材１４３と第２搬送部材１４４が回転駆動されると、２成分現像剤は、撹拌によって摩擦帯電させられるとともに、第１搬送路１４３Ａでは矢印Ｊ方向へ、第２搬送路１４４Ａでは矢印Ｋ方向へと互いに逆方向に搬送されるが、第１搬送路１４３Ａと第２搬送路１４４Ａは空隙１４５Ａ、１４５Ｂにより互いの両端がつなげられて周回路を形成しているため、２成分現像剤はこの周回路に沿って循環させられる。
２成分現像剤は、第１搬送路１４３Ａに沿って搬送される際、回転駆動される現像ローラ１４２の外周面に磁力によって付着する。現像ローラ１４２には現像バイアス電圧が印加されており、これによってトナーが潜像と逆極性に帯電させられる。その結果、トナーが感光体１１上に移送されて潜像が現像され、トナー像が形成される。トナーを奪われたキャリアは、第１搬送路１４３Ａに沿って引き続き搬送される。
【００１８】
筐体１４１の天板の第２搬送路１４４Ａに対応する位置にはトナー補給口１４１Ｂが設けられており、トナーを収容したトナー補給装置１４６がパイプ１４６Ａによってトナー補給口１４１Ｂに接続されている。筐体１４１の天板の現像ローラ１４２に対向する面には、第１トナー濃度センサ１７Ａと第２トナー濃度センサ１７Ｂが設けられている。第１トナー濃度センサ１７Ａと第２トナー濃度センサ１７Ｂは、現像ローラ１４２の外周面の互いに異なる２点に対向させて設けられている。互いに異なる２点とは、例えば、現像ローラ１４２の軸方向の２点であり、現像ローラ１４２の軸の中点をはさんで画像形成装置１００の背面側に第１トナー濃度センサ１７Ａが位置し、正面側に第２トナー濃度センサ１７Ｂが位置する。
【００１９】
第１トナー濃度センサ１７Ａと第２トナー濃度センサ１７Ｂとは同一の構成を有するため、両者を区別する必要のない場合には、トナー濃度センサ１７と総称する。図５は、トナー濃度センサ１７の構成を示す図である。筐体１７１の現像ローラ１４２に対向する側には開口部１７２が設けられており、光源１７３が発生した光が開口部１７２を通過して現像ローラ１４２に照射されると、現像ローラ１４２の表面又はトナーが光を反射する。受光素子１７４は、拡散反射光を受光し、拡散反射光の強さを表す信号を制御部４に出力する。受光素子１７５は、鏡面反射光を受光し、鏡面反射光の強さを表す信号を制御部４に出力する。受光素子１７４は、Ｃ色、Ｍ色、Ｙ色のトナー濃度を測定するために用いられ、受光素子１７５は、Ｋ色のトナー濃度を測定するために用いられる。
【００２０】
制御部４は、トナー濃度センサ１７の出力信号から反射率を算出し、この反射率をトナー濃度に換算する。制御部４は、トナー濃度が目標値を下回った場合に、トナー補給装置１４６に対してトナー補給の指示を出す。この指示を受け取ると、トナー補給装置１４６は、パイプ１４６Ａを介して筐体１４１内にトナーを吐出する。
制御部４は、１回のトナー補給に費やす時間の長さ（以下、「トナー補給時間」という。）を調整することによって、１回当たりのトナー補給量を調整する。制御部４は、トナー補給時間をトナーの消費の速さに応じて決定する。例えば、定められた期間内のイメージカウント値の１ページ当たりの平均値が高いほどトナー補給時間を長くする。イメージカウント値は、トナーで現像された画素数の累積値である。
【００２１】
中間転写体２０は、駆動ローラ２１とローラ２２に架け回された無端のベルトであり、駆動ローラ２１が回転駆動されることによって、中間転写体２０が矢印Ｂの方向に循環する。中間転写体２０を挟んで感光体１１と対向する位置には１次転写装置１５が設けられている。１次転写装置１５は、例えば、コロトロン型帯電装置であり、中間転写体２０にトナー像と逆極性の転写バイアス電圧を印加する。転写バイアス電圧によって中間転写体２０がトナー像と逆極性に帯電させられ、トナー像が中間転写体２０に転写される。この転写動作を１次転写という。
以上が画像形成エンジン１０の構成である。画像形成エンジン１０Ｙ、１０Ｍ、１０Ｃ、１０Ｋで形成されたトナー像は、中間転写体２０に重ねて転写される。
【００２２】
媒体搬送部３０は、記録媒体Ｐを搬送する。具体的には、媒体収容部３１には、紙等の記録媒体Ｐが積み重ねて収容されており、送り出しローラ３２が、中間転写体２０上のトナー像の移動と同期させて回転駆動されることにより、記録媒体Ｐを１枚ずつ搬送路３４に送り出す。搬送路３４上に設けられた搬送ローラ３３が回転駆動されることにより、記録媒体Ｐが搬送路３４に沿って搬送される。
２次転写装置２３は、記録媒体Ｐに中間転写体２０と逆極性の転写バイアス電圧を印加するローラであり、２次転写装置２３の外周面は、中間転写体２０を挟んでローラ２２の外周面に突き当てられている。２次転写装置２３と中間転写体２０とが接触する位置に記録媒体Ｐが進入すると、転写バイアス電圧によって記録媒体Ｐが中間転写体２０と逆極性に帯電させられ、トナー像が記録媒体Ｐの表面に転写される。この転写動作を２次転写という。
トナー像が転写された記録媒体Ｐは、定着装置５０に搬送される。定着装置５０は、トナー像に対して加熱および加圧を行うことによって、トナー像を記録媒体Ｐの表面に定着させる。トナー像が定着された記録媒体Ｐは、排出部３７に排出される。
【００２３】
要するに、本実施形態に係る画像形成部７は、光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段の一例である。なお、転写装置は、１次転写装置１５と２次転写装置２３とを含む概念である。像保持体は、中間転写体２０と記録媒体Ｐとを含む概念である。中間転写体２０は、ベルトに限定されるものではなく、例えば、ローラであってもよい。要するに、像保持体は、感光体に形成した画像を転写する対象物の全てを含む概念である。
【００２４】
画像形成エンジン１０Ｋの中間転写体２０駆動方向下流側には、第１センサ２４Ａと第２センサ２４Ｂが設けられている。図６は、第１センサ２４Ａと第２センサ２４Ｂが設けられた位置を示す図である。第１センサ２４Ａと第２センサ２４Ｂは、中間転写体２０の表面の互いに異なる２点に対向させて設けられている。互いに異なる２点とは、中間転写体２０の駆動方向と交差する方向の２点であり、中間転写体２０の中心線を挟んで画像形成装置１００の背面側に第１センサ２４Ａが位置し、正面側に第２センサ２４Ｂが位置する。
【００２５】
第１センサ２４Ａと第２センサ２４Ｂとは同一の構成を有するため、両者を区別する必要のない場合には、センサ２４と総称する。図７は、センサ２４の構成を示す図である。筐体２４１の記録媒体Ｐに対向する側には開口部２４２が設けられており、光源２４３が発生した光が開口部２４２を通過して中間転写体２０に照射されると、中間転写体２０の表面又はトナーが光を反射する。受光素子２４４は、拡散反射光を受光し、拡散反射光の強さを表す信号を制御部４に出力する。受光素子２４５は、鏡面反射光を受光し、鏡面反射光の強さを表す信号を制御部４に出力する。受光素子２４４は、Ｃ色、Ｍ色、Ｙ色で形成された画像の検出に用いられ、受光素子２４５は、Ｋ色で形成された画像の検出に用いられる。
要するに、センサ２４は、前記感光体と前記像保持体のいずれかの表面の移動方向と交差する方向の互いに異なる位置に設けられた、前記画像を光学的に検出する複数の検出手段の一例である。
制御部４は、センサ２４の出力信号を、画像濃度調整と、画像形成位置調整の２つの用途に用いる。具体的には、次のとおりである。
【００２６】
（１．１）画像濃度調整
画像濃度調整は、画像形成装置１００で形成される画像の濃度が目標値に近づくように画像形成装置１００を調整する処理である。制御部４は、画像濃度調整を実行する契機として定められた事象を検知した場合に、画像濃度調整を実行する。定められた事象とは、例えば、画像形成装置１００への電源投入、指示受付部１による画像形成の指示の受け付け、当該指示に対応した画像形成の終了、前回の画像濃度調整後のイメージカウント値の閾値への到達、画像形成装置１００内部の温度又は湿度の、前回の画像形成位置調整後の変化量の閾値への到達、トナー補給装置１４６へのトナー充填、搬送路３４に詰まった記録媒体Ｐの除去、指示受付部１による画像濃度調整の指示の受け付け等である。イメージカウント値は、トナーで現像された画素数の累積値である。制御部４は、記憶部５に記憶されたプログラムで記述された手順に従って画像濃度調整を実行する。
【００２７】
記憶部５には、調整用画像データが記憶されている。図８（ａ）は、調整用画像データに基づいて中間転写体２０上に形成される調整用画像２５を示す図である。調整用画像２５は、調整用画像２５Ｙ、２５Ｍ、２５Ｃ、２５Ｋからなり、それぞれＹ色、Ｍ色、Ｃ色、Ｋ色のトナーで形成される。中間転写体２０上の第１センサ２４Ａと第２センサ２４Ｂに対応する位置に同一の調整用画像２５が形成される。図８（ｂ）は、調整用画像２５Ｙを示す図である。調整用画像２５Ｙは、複数の矩形画像を中間転写体２０の駆動方向に沿って並べたものであり、各矩形画像には100%、80%、60%、40%、20%というように段階的に異なる面積率が指定されている。調整用画像２５Ｍ、２５Ｃ、２５Ｋも、トナーの色が異なる以外は調整用画像２５Ｙと同様である。
なお、第１センサ２４Ａと第２センサ２４Ｂに対応する位置に異なる調整用画像を形成してもよい。例えば、第２センサ２４Ｂに対応する位置の矩形画像には、100%、40%、60％、80％、20％というように、ランダムに異なる面積率が指定されている画像を用いてもよい。
【００２８】
画像濃度調整を実行する契機として定められた上記事象のいずれかを検知した場合、制御部４は、調整用画像データを記憶部５から読み出して露光装置１３に供給し、中間転写体２０上に調整用画像２５を形成させ、調整用画像２５で反射された反射光を第１センサ２４Ａと第２センサ２４Ｂに読み取らせる。制御部４は、第１センサ２４Ａと第２センサ２４Ｂから出力された信号からそれぞれの反射率を算出し、この反射率を画像濃度（光学濃度）に換算し、この２つの画像濃度の加重平均値を算出することによって、比較位置２４Ｃにおける画像濃度を求める。これに対して、調整用画像データで指定された面積率に対応する画像濃度を目標値と呼ぶ。比較位置２４Ｃは、加重平均値と目標値とを比較する位置として予め定められた特定の位置である。加重平均値の算出方法については後述する。そして、制御部４は、加重平均値と目標値との差に基づいて、加重平均値を目標値に近づけるための調整を実行する。調整の内容は、例えば、トナー補給装置１４６からのトナー補給量の調整、帯電装置１２の帯電電位の調整、露光装置１３の露光量の調整、現像装置１４の現像バイアス電位の調整、画像データを補正するルックアップテーブルの書き換え等のいずれか又は２つ以上の組み合わせであるが、これらの調整については周知の技術を適用するため、具体的な手順についての説明は省略する。
【００２９】
（１．２）画像形成位置調整
画像形成位置調整は、画像形成装置１００で形成される画像の記録媒体Ｐ上の位置が画像データで指定された位置に近づくように画像形成装置１００を調整する処理である。制御部４は、画像形成位置調整を実行する契機として定められた事象を検知した場合に、画像形成位置調整を実行する。定められた事象とは、例えば、画像形成装置１００への電源投入、指示受付部１による画像形成の指示の受け付け、当該指示に対応した画像形成の終了、前回の画像形成位置調整後のイメージカウント値の閾値への到達、画像形成装置１００内部の温度又は湿度の、前回の画像形成位置調整後の変化量の閾値への到達、搬送路３４に詰まった記録媒体Ｐの除去、指示受付部１による画像形成位置調整の指示の受け付け等である。制御部４は、記憶部５に記憶されたプログラムで記述された手順に従って画像形成位置調整を実行する。
【００３０】
画像形成位置調整には、中間転写体２０駆動方向における画像形成位置の調整、中間転写体２０駆動方向と交差する方向における画像形成位置の調整、画像の傾きの調整が含まれる。例えば、中間転写体２０駆動方向における調整の場合、制御部４は、中間転写体２０上に調整用画像２５を形成させ、調整用画像２５の前端が検出された時期と、調整用画像２５の前端がセンサ２４の測定位置に到達する目標時期との差に基づいて、中間転写体２０駆動方向の形成位置のずれ量を求める。そして、制御部４は、このずれ量を少なくするための調整を実行する。調整の内容は、例えば、露光装置１３による潜像の書き込みの開始時期の調整であるが、この調整については周知の技術を適用するため、具体的な手順についての説明は省略する。
以上が画像形成装置１００の基本構成である。
【００３１】
（２）加重平均値の算出
次に、比較位置２４Ｃにおける加重平均値の算出について説明する。
（２．１）第１実施形態
最初に、画像濃度の加重平均値を求める理由について説明する。
図９は、画像形成装置で形成された画像濃度の分布を示す図である。具体的には、主走査方向に均一な面積率を指定した画像データを画像形成部７に入力し、記録媒体Ｐ上に形成された画像の光学濃度を濃度計で測定したものである。縦軸は画像濃度を表し、横軸は主走査方向の位置を表す。１００Ａ、１００Ｂは、それぞれ画像形成装置１００Ａ、１００Ｂの測定結果を示す。画像形成装置１００Ａと１００Ｂは、上述の画像形成装置１００と同一の構成を有する装置である。
【００３２】
図示されているとおり、画像形成装置１００Ａと１００Ｂで形成された画像の濃度は、一部を除いて目標値と異なっている。また、画像形成装置１００Ａと１００Ｂが同一の構成を有するにも関わらず、両者で形成された画像濃度の分布は異なっている。画像濃度が目標値と乖離する原因は様々であるが、例えば、画像形成部７の構成要素に由来する原因として、次のものが挙げられる。
・感光体１１の感光層の厚さの主走査方向のムラ。
・帯電装置１２の帯電電圧の主走査方向のムラ。
・露光装置１３の光量の主走査方向のムラ。
・現像装置１４のトナー濃度の主走査方向のムラ。
・現像装置１４の現像バイアス電圧の主走査方向のムラ。
・１次転写装置１５、２次転写装置２３の転写バイアス電圧の主走査方向のムラ。
・定着装置５０の熱、圧力の主走査方向のムラ。
・感光体１１、現像ローラ１４２、中間転写体２０、２次転写装置２３等の変形。
これらのムラや変形の大きさは画像形成装置１００の個体毎に異なるから、画像濃度の分布や、画像濃度の目標値との乖離の程度も、画像形成装置１００の個体毎に異なるものとなる。
【００３３】
さて、画像形成位置調整を目的としたセンサは、通常、図６、図８で示したように、中間転写体２０の中心線を挟む２点に設けられる。これに対して、画像濃度調整は、通常、中間転写体２０の中心線付近の画像濃度に基づいて行うが、画像形成位置調整用のセンサを画像濃度調整用にも使用するように構成すれば、コスト面で有利である。このような理由から、本実施形態では、第１センサ２４Ａと第２センサ２４Ｂの測定位置の画像濃度に基づいて比較位置２４Ｃの画像濃度を算出するのであるが、その算出においては、２つの測定位置の画像濃度の加重平均値を求める。その理由は、次のとおりである。
図９に示した画像形成装置１００Ａの例では、第１センサ２４Ａと第２センサ２４Ｂの測定位置における画像濃度は、それぞれ０．８と１．０である。第１センサ２４Ａと第２センサ２４Ｂが比較位置２４Ｃから等距離の位置に設けられているとすると、この例では画像濃度の変化が直線的であるので、比較位置２４Ｃの濃度は、第１センサ２４Ａと第２センサ２４Ｂの測定位置の画像濃度の相加平均値０．９に等しい。従って、例えば目標値を０．９５とすると、制御部４は、形成される画像の濃度を０．０５だけ増加させるように画像濃度の調整を実行する。
【００３４】
一方、図９に示した画像形成装置１００Ｂの例では、第１センサ２４Ａと第２センサ２４Ｂの測定位置における画像濃度はそれぞれ０．８と１．０で、画像形成装置１００Ａの例と同じであるが、画像濃度の変化が曲線的であるため、比較位置２４Ｃにおける画像濃度は、第１センサ２４Ａと第２センサ２４Ｂの測定位置の画像濃度の相加平均値０．９とは異なる値となる。この例では、０．８６である。仮に相加平均値０．９に基づいて画像濃度調整を実行すると、０．０５しか濃度が増加しないから、調整後の比較位置２４Ｃにおける画像濃度は、０．８６＋０．０５＝０．９１となり、目標値０．９５に届かなくなる。
【００３５】
このような不都合を解消するために、本実施形態では、次の方法によって比較位置２４Ｃにおける画像濃度を算出する。
第１センサ２４Ａ、第２センサ２４Ｂの出力信号から得られた画像濃度をそれずれＶ１、Ｖ２とすると、比較位置２４Ｃにおける加重平均値Ｖｗは、次式で求められる。
［数１］
Ｖｗ＝（Ｗ１・Ｖ１＋Ｗ２・Ｖ２）／（Ｗ１＋Ｗ２）        式（１）
ただし、Ｗ１、Ｗ２はそれそれＶ１、Ｖ２に対する重み。
【００３６】
重みＷ１、Ｗ２は、いかなる方法で決定してもよいが、一例を示すと、次のとおりである。Ｗ１＋Ｗ２＝１として、式（１）を変形すると、
［数２］
Ｗ１＝（Ｖｗ−Ｖ２）／（Ｖ１−Ｖ２）        式（２）
となる。主走査方向に均一な面積率を指定した画像データを画像形成装置１００の画像形成部７に入力し、中間転写体２０上に形成された画像の濃度を、第１センサ２４Ａの測定位置と第２センサ２４Ｂの測定位置と比較位置２４Ｃとで測定し、式（２）に代入する。例えば、図９に示した画像形成装置１００Ｂの場合、画像濃度Ｖ１＝０．８、Ｖ２＝１．０、Ｖｗ＝０．８６を代入することによって重みＷ１＝０．７、Ｗ２＝０．３が得られる。このようにして得られた重みＷ１、Ｗ２を記憶部５に記憶させておく。
【００３７】
画像濃度調整を実行する契機として定められた上記事象のいずれかを検知した場合、制御部４は、調整用画像データを記憶部５から読み出して露光装置１３に供給し、中間転写体２０上に調整用画像２５を形成させ、調整用画像２５で反射された反射光を第１センサ２４Ａと第２センサ２４Ｂに読み取らせる。制御部４は、第１センサ２４Ａと第２センサ２４Ｂから出力された信号からそれぞれの反射率を算出し、この反射率を画像濃度に換算する。制御部４は、このようにして得られた画像濃度Ｖ１、Ｖ２と、記憶部５から読み出した重みＷ１、Ｗ２とを式（１）に代入することによって、比較位置２４Ｃにおける加重平均値を算出する。このようにして算出された加重平均値は、比較位置２４Ｃにおける実際の画像濃度に近似した値となる。そして、制御部４は、この加重平均値を目標値に近づけるための調整を画像形成部７に施す。例えば、制御部４は、トナー補給装置１４６からのトナー補給量の調整、帯電装置１２の帯電電位の調整、露光装置１３の露光量の調整、現像装置１４の現像バイアス電位の調整、画像データを補正するルックアップテーブルの書き換え等の調整指示を画像形成部７に与える。
【００３８】
図１４は、画像形成装置１００の機能構成を示すブロック図である。
本実施形態に係る画像形成装置１００は、画像形成手段１０１と検出手段１０２と濃度算出手段１０３と加重平均値算出手段１０４と調整手段１０５とを有する。
画像形成手段１０１は、光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段である。
検出手段１０２は、前記感光体と前記像保持体のいずれかの表面の移動方向と交差する方向の互いに異なる位置に設けられた、前記画像を光学的に検出する複数の検出手段である。
濃度算出手段１０３は、画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段である。
加重平均値算出手段１０４は、前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段である。
調整手段１０５は、前記加重平均値算出手段で算出された加重平均値を前記調整用画像に対応する目標値に近づけるための調整を前記画像形成手段に施す調整である。
【００３９】
なお、重みの決定方法は、いかなる方法を用いてもよい。前述のとおり、画像濃度が目標値と乖離する原因として、感光体１１の感光層の厚さのムラ等、画像形成部７の構成要素に由来する原因がいくつか考えられるので、例えば、感光体１１の感光層の厚さと画像濃度分布との関係が既知である場合、感光層の厚さの測定値に基づいて画像濃度分布を予測し、予測した画像濃度分布における画像濃度Ｖ１、Ｖ２、Ｖｗを式（２）に代入して重みを決定してもよい。
また、画像形成装置１００の動作中に画像濃度分布が変動することがあり得る。例えば、２成分現像剤は、第２搬送路１４４Ａから空隙１４５Ｂを通過して第１搬送路１４３Ａに進入するが、空隙１４５Ｂを通過する前後で２成分現像剤の搬送方向が変わるため、空隙１４５Ｂ付近で２成分現像剤が滞留と流動を交互に繰り返す。そのため、第１搬送路１４３Ａでは、上流側ほど画像濃度が変動しやすくなるので、加重平均値もこの変動の影響を受けることになる。この変動が加重平均値に与える影響を抑制するために、上流側の重みＷ２を下流側の重みＷ１よりも小さい値に定めてもよい。
要するに、前記現像装置は、前記感光体と互いの外周面を対向させて設けられた現像ローラと、前記現像ローラの軸方向に沿って一方向に現像剤を搬送する搬送手段とを有し、前記現像剤の搬送方向上流側の前記重みが当該搬送方向下流側の前記重みよりも小さい値に定められている。
【００４０】
（２．２）第２実施形態
本実施形態では、加重平均値を求める際の重みを、定められた期間内のイメージカウント値に応じて変化させる。図１０は、制御部４が実行する処理の手順を示す図である。制御部４は、記憶部５に記憶されているプログラムで記述された手順に従ってこの処理を実行する。制御部４は、画像濃度調整を実行する契機として定められた事象を検知した場合に、この処理を開始する。記憶部５には、第１実施形態で示した方法で決定された重みＷ１、Ｗ２が、それぞれ初期値Ｗini１、Ｗini２として記憶されている。
ステップＳ１１では、制御部４は、定められた期間内のイメージカウント値の１ページ当たりの平均値ＣＭが閾値Ｔ１を超えたか否かを判定する。平均値ＣＭが閾値Ｔ１を超えた場合（ステップＳ１１：ＹＥＳ）には、ステップＳ１２に進み、制御部４が重みを初期値から変更する。
【００４１】
重みを変更する理由は、次のとおりである。平均値ＣＭが高いほど、トナー補給装置１４６から現像装置１４へのトナー補給時間が長くなるので、トナー補給１回当たりの補給量が多くなる。トナー補給量が多いほど、新鮮なトナーの割合が増える。すると、トナーの滞留による異常帯電が減少するので、潜像が現像されやすくなる。つまり、平均値ＣＭが高いほど、画像濃度が高くなる。ただし、現像ローラ１４２の軸方向に一様に画像濃度が上昇するわけではなく、第１搬送路１４３Ａにおける搬送方向Ｊの上流側ほど画像濃度が上昇しやすくなる。なぜならば、第１搬送路１４３Ａの上流側から下流側に向かってトナーが徐々に消費されることにより、上流側ほどトナー濃度が高くなるからである。このような現像ローラ１４２の軸方向の画像濃度の変化を抑制するために、本実施形態では、定められた期間内のイメージカウント値の単位時間当たりの平均値ＣＭが閾値Ｔ１を超えた場合、加重平均値を求める際の重みを、上流側では初期値よりも小さくし、下流側では初期値よりも大きくする。すなわち、式（３）で示すように、重みＷ２を初期値Ｗini２よりも小さくするとともに、重みＷ１を初期値Ｗini１よりも大きくする。
［数３］
Ｗ１＝Ｗini１＋α、Ｗ２＝Ｗini２−β        式（３）
ただし、α＞０、β＞０
【００４２】
一方、平均値ＣＭが閾値Ｔ１を超えていない場合（ステップＳ１１：ＮＯ）には、ステップＳ１３に進み、制御部４が、重みＷ１、Ｗ２としてそれぞれ初期値Ｗini１、Ｗini２を設定する。
ステップＳ１４では、制御部４が画像濃度調整を実行する。すなわち、制御部４は、調整用画像データを記憶部５から読み出して画像形成部７に供給し、中間転写体２０上に調整用画像２５を形成させ、調整用画像２５で反射された反射光を第１センサ２４Ａと第２センサ２４Ｂに読み取らせる。制御部４は、第１センサ２４Ａと第２センサ２４Ｂから出力された信号からそれぞれの反射率を算出し、この反射率を画像濃度に換算して画像濃度Ｖ１、Ｖ２を求め、この画像濃度Ｖ１、Ｖ２と、ステップＳ１２又はＳ１３で決定した重みＷ１、Ｗ２とを式（１）に代入して加重平均値を求める。そして、制御部４は、加重平均値と目標値との差に基づいて、形成される画像の濃度を目標値に近づけるための調整を実行する。
【００４３】
図１５は、画像形成装置１００の機能構成を示すブロック図である。
本実施形態に係る画像形成装置１００は、第１実施形態の構成に加えて、変更手段１０６を有する。変更手段１０６は、定められた期間内に前記現像装置によって現像された画素数の画像１ページ当たりの平均値が閾値を超えた場合に、前記搬送方向上流側の重みが前記搬送方向下流側の重みよりも相対的に低下するように各重みを変更する変更手段である。
【００４４】
（２．３）第３実施形態
本実施形態では、加重平均値を求める際の重みを、トナー補給時間に応じて変化させる。図１１は、制御部４が実行する処理の手順を示す図である。制御部４は、記憶部５に記憶されているプログラムで記述された手順に従ってこの処理を実行する。制御部４は、画像濃度調整を実行する契機として定められた事象を検知した場合に、この処理を開始する。記憶部５には、第１実施形態で示した方法で決定された重みＷ１、Ｗ２が、それぞれ初期値Ｗini１、Ｗini２として記憶されている。
ステップＳ２１では、制御部４は、トナー補給時間ＤＴが閾値Ｔ２を超えたか否かを判定する。トナー補給時間ＤＴが閾値Ｔ２を超えた場合（ステップＳ２１：ＹＥＳ）には、ステップＳ２２に進み、制御部４が重みを初期値から変更する。
【００４５】
重みを変更する理由は、次のとおりである。トナー補給装置１４６から現像装置１４へのトナー補給時間が長くなるほど、トナー補給１回当たりの補給量が多くなる。トナー補給量が多いほど、新鮮なトナーの割合が増える。すると、トナーの滞留による異常帯電が減少するので、潜像が現像されやすくなる。つまり、トナー補給時間ＤＴが長いほど、画像濃度が高くなる。ただし、現像ローラ１４２の軸方向に一様に画像濃度が上昇するわけではなく、第１搬送路１４３Ａにおけるトナー搬送方向Ｊの上流側ほど画像濃度が上昇しやすくなる。なぜならば、第１搬送路１４３Ａの上流側から下流側に向かってトナーが徐々に消費されることにより、上流側ほどトナー濃度が高くなるからである。このような現像ローラ１４２の軸方向の画像濃度の変化を抑制するために、本実施形態では、トナー補給時間ＤＴが閾値Ｔ２を超えた場合、加重平均値を求める際の重みを、上流側では初期値よりも小さくし、下流側では初期値よりも大きくする。すなわち、前掲の式（３）で示すように、重みＷ２を初期値Ｗini２よりも小さくするとともに、重みＷ１を初期値Ｗini１よりも大きくする。
【００４６】
一方、トナー補給時間ＤＴが閾値Ｔ２を超えていない場合（ステップＳ２１：ＮＯ）には、ステップＳ２３に進み、制御部４が、重みＷ１、Ｗ２としてそれぞれ初期値Ｗini１、Ｗini２を設定する。
ステップＳ２４では、制御部４が画像濃度調整を実行する。画像濃度調整の手順は、第２実施形態と同様である。
本実施形態に係る画像形成装置１００は、第１実施形態の構成に加えて、変更手段１０６を有する。変更手段１０６は、前記トナー補給手段による１回のトナー補給に費やす時間の長さが閾値を超えた場合に、前記搬送方向上流側の重みが前記搬送方向下流側の重みよりも相対的に低下するように各重みを変更する変更手段である。
【００４７】
ところで、現像装置１４にトナーを補給する場合、トナーは、トナー補給口１４１Ｂから現像装置１４の筐体１４１内に吐出された後、第２搬送路１４４Ａ上で矢印Ｋ方向に搬送され、空隙１４５Ｂを経て第１搬送路１４３Ａ上を矢印Ｊ方向に搬送される。すなわち、トナー補給が開始されてからトナーが現像ローラ１４２に到達するまでに或る程度の時間を要するようになっている。従って、画像濃度が変化するのは、トナー補給が開始されてから当該時間経過後である。この時間の長さは、第１搬送部材１４３と第２搬送部材１４４の回転速度によって決まる。よって、トナー補給を開始してから経過した時間を計測し、この経過時間が、トナーが現像ローラ１４２に到達するのに要する時間に達したならば重みを変更するのが望ましい。ただし、トナーが現像ローラ１４２に到達するまでに画像形成装置１００の電源が切られていた期間がある場合には、この期間を前記経過時間から差し引く。
要するに、前記変更手段は、前記トナー補給手段により補給されたトナーが前記現像ローラの外周面に到達した場合に前記各重みを変更する。
【００４８】
（２．４）第４実施形態
本実施形態では、加重平均値を求める際の重みを、プロセススピードに応じて変化させる。プロセススピードとは、画像形成部７の動作速度を表す値であり、例えば、感光体１１の外周面の移動速度で表される。画像形成条件に応じて複数の段階のプロセススピードが定められている。画像形成条件とは、例えば、記録媒体Ｐの厚さや、画像の解像度である。記憶部５には、各プロセススピードと画像形成条件との対応関係が記憶されており、制御部４は、記憶されているプロセススピードのうち、画像形成条件に対応するプロセススピードＰＳを選択する。画像形成部７の各構成要素は互いに連動しているから、プロセススピードＰＳに応じて各構成要素の動作速度が設定される。例えば、現像装置１４においては、プロセススピードが速いほど、第１搬送部材１４３と第２搬送部材１４４の回転速度が速い回転速度に設定される。記憶部５に記憶されている複数のプロセススピードのうち、一般的に使用頻度の高い普通紙に対して設定されるプロセススピードが標準プロセススピードＰＳＳとして定められており、画像形成装置１００の初期状態においては、標準プロセススピードＰＳＳが設定されている。
なお、第１実施形態で示した方法で重みＷ１、Ｗ２を決定したときのプロセススピードを標準プロセススピードＰＳＳとして設定するのが望ましい。従って、用紙の種類によってプロセススピードが切り替わることを考慮し、使用頻度の高い用紙が普通紙ではなく、例えば厚紙であれば、第１実施形態で示した方法で重みＷ１、Ｗ２を再度決定し、そのプロセススピードを標準プロセススピードＰＳＳとして設定する。
【００４９】
図１２は、制御部４が実行する処理の手順を示す図である。制御部４は、記憶部５に記憶されているプログラムで記述された手順に従ってこの処理を実行する。制御部４は、画像濃度調整を実行する契機として定められた事象を検知した場合に、この処理を開始する。記憶部５には、第１実施形態で示した方法で決定された重みＷ１、Ｗ２が、それぞれ初期値Ｗini１、Ｗini２として記憶されている。
ステップＳ３１では、制御部４は、画像形成条件に応じて決定したプロセススピードＰＳが標準プロセススピードＰＳＳよりも速いか否かを判定する。プロセススピードＰＳが標準プロセススピードＰＳＳよりも速い場合（ステップＳ３１：ＹＥＳ）には、ステップＳ３２に進み、制御部４が重みを初期値から変更する。
【００５０】
重みを変更する理由は、次のとおりである。プロセススピードＰＳが速くなるほど、第１搬送部材１４３と第２搬送部材１４４の回転速度も速くなるから、第１搬送路１４３Ａと第２搬送路１４４Ａにおけるトナーの搬送速度も速くなる。すると、トナー補給装置１４６から補給されたトナーが現像ローラ１４２に到達するまでの時間が短くなるため、トナーが撹拌される時間も短くなる。トナーが撹拌される時間が短くなると、トナー濃度や帯電電位にムラが生じやすくなる。つまり、プロセススピードＰＳが速くなるほど、画像濃度が変動しやすくなる。ただし、現像ローラ１４２の軸方向に一様に画像濃度が変動するわけではなく、第１搬送路１４３Ａにおけるトナー搬送方向Ｊの上流側ほど画像濃度が変動しやすくなる。なぜならば、第１搬送路１４３Ａの上流側から下流側に向かってトナーの撹拌が進むため、下流側ほど、トナー濃度や帯電電位のムラが解消されるからある。このような上流側の画像濃度の変動を抑制するために、本実施形態では、プロセススピードＰＳが標準プロセススピードＰＳＳを超えた場合、加重平均値を求める際の重みを、第１搬送路１４３Ａの上流側では初期値よりも小さくし、下流側では初期値よりも大きくする。すなわち、前掲の式（３）で示すように、重みＷ２を初期値Ｗini２よりも小さくするとともに、重みＷ１を初期値Ｗini１よりも大きくする。
【００５１】
一方、プロセススピードＰＳが標準プロセススピードＰＳＳを超えていない場合（ステップＳ３１：ＮＯ）には、ステップＳ３３に進み、制御部４は、画像形成条件に応じて決定したプロセススピードＰＳが標準的なプロセススピードＰＳＳよりも遅いか否かを判定する。プロセススピードＰＳが標準プロセススピードＰＳＳよりも遅い場合（ステップＳ３３：ＹＥＳ）には、ステップＳ３４に進み、制御部４が、重みを初期値から変更する。
重みを変更する理由は、次のとおりである。プロセススピードＰＳが遅くなるほど、第１搬送部材１４３と第２搬送部材１４４の回転速度も遅くなるから、第１搬送路１４３Ａと第２搬送路１４４Ａにおけるトナーの搬送速度も遅くなる。すると、トナー補給装置１４６から補給されたトナーが現像ローラ１４２に到達するまでの時間が長くなるため、トナーが撹拌される時間も長くなる。トナーが撹拌される時間が長くなると、トナー濃度や帯電電位のムラも少なくなる。つまり、プロセススピードＰＳが遅くなるほど、画像濃度が変動しにくくなるとともに、現像ローラ１４２の軸方向の画像濃度のムラも少なくなる。この場合、重みＷ１、Ｗ２として初期値Ｗini１、Ｗini２を設定すると、第１搬送路１４３Ａの上流側の画像濃度が低下しすぎることになるので、次式で示すように、上流側では重みを初期値よりも大きくし、下流側では重みを初期値よりも小さくする。
［数４］
Ｗ１＝Ｗini１−α、Ｗ２＝Ｗini２＋β        式（４）
ただし、α＞０、β＞０
【００５２】
一方、プロセススピードＰＳが標準プロセススピードＰＳＳと等しい場合（ステップＳ３３：ＮＯ）には、ステップＳ３５に進み、制御部４が、重みＷ１、Ｗ２としてそれぞれ初期値Ｗini１、Ｗini２を設定する。
ステップＳ３６では、制御部４が画像濃度調整を実行する。画像濃度調整の手順は、第２実施形態と同様である。
なお、ステップＳ３３、Ｓ３４を省略し、ステップＳ３１の判定がＮＯの場合にステップＳ３５に進むようにしてもよい。また、ステップＳ３１、Ｓ３２を省略してもよい。
要するに、本実施形態に係る画像形成装置１００は、第１実施形態の構成に加えて、変更手段１０６を有する。変更手段１０６は、前記画像形成手段の動作速度が閾値を超えた場合に、前記搬送方向上流側の重みが前記搬送方向下流側の重みよりも相対的に低下するように各重みを変更する変更手段である。また、変更手段１０６は、前記画像形成手段の動作速度が閾値未満の場合に、前記搬送方向下流側の重みが前記搬送方向上流側の重みよりも相対的に低下するように各重みを変更する変更手段である。
【００５３】
（３）変形例
上記の実施形態を下記の変形例のように変形してもよい。また、変形例を複数組み合わせても良い。
（３．１）変形例１
加重平均値を求める際の重みを、イメージカウント値とトナー補給時間とプロセススピードとに応じて変化させるようにしてもよい。
図１３は、制御部４が実行する処理の手順を示す図である。この処理は、制御部４が記憶部５に記憶されているプログラムを実行することによって実現される。制御部４は、画像濃度調整を実行する契機として定められた事象を検知した場合に、この処理を開始する。記憶部５には、第１実施形態で示した方法で決定された重みＷ１、Ｗ２が、それぞれ初期値Ｗini１、Ｗini２として記憶されている。
【００５４】
ステップＳ４１では、制御部４は、次の（Ａ）乃至（Ｃ）の判定を行い、いずれかの条件を満たす場合（ステップＳ４１：ＹＥＳ）には、ステップＳ４２に進み、どの条件も満たさない場合（ステップＳ４１：ＮＯ）には、ステップＳ４３に進む。
（Ａ）定められた期間内のイメージカウント値の平均値ＣＭが閾値Ｔ１を超えたか否か。
（Ｂ）トナー補給時間ＤＴが閾値Ｔ２を超えたか否か。
（Ｃ）画像形成条件に応じて決定したプロセススピードＰＳが標準プロセススピードＰＳＳよりも速いか否か。
ステップＳ４２、Ｓ４３以降の処理の内容は、第４実施形態におけるステップＳ３２、Ｓ３３以降と同様である。
なお、第２実施形態と同様に、トナー補給を開始してから経過した時間を計測し、この経過時間が、トナーが現像ローラ１４２に到達するのに要する時間に達したならば重みを変更するのが望ましい。
【００５５】
（３．２）変形例２
実施形態では、中間転写体２０に対向させてセンサ２４を設けた例を示したが、センサ２４を感光体１１の表面に対向させて設けてもよい。この場合、例えば、感光体１１の軸の中点を挟んで画像形成装置１００の背面側と正面側にセンサ２４を設ける。
あるいは、センサ２４を搬送路３４上の記録媒体Ｐに対向するように設けてもよい。この場合、搬送路３４上の２次転写位置よりも下流側で、記録媒体Ｐの表面にセンサ２４を対向させるとともに、搬送路３４の中心線を挟んで画像形成装置１００の背面側と正面側にセンサ２４を設ける。
あるいは、画像形成装置１００が、中間転写体２０を備えず、感光体１１から記録媒体Ｐに直接トナー像を転写するように構成されていてもよい。この場合、センサ２４を感光体１１に対向させて設けてもよいし、センサ２４を記録媒体Ｐに対向するように設けてもよい。
また、実施形態では、２つのセンサ２４を設けた例を示したが、画像形成位置調整のためにセンサが３つ以上設けられている場合もあり得るので、その場合には、３つ以上のセンサに対応する位置に調整用画像を形成し、この調整用画像を測定して得られた画像濃度の加重平均値を求めるようにしてもよい。この場合、第１搬送路１４３Ａの搬送方向上流側ほど、重みを大きくする。
要するに、実施形態及び本変形例に係るセンサ２４は、前記感光体と前記像保持体のいずれかの表面の移動方向と交差する方向の互いに異なる位置に設けられた、前記画像を光学的に検出する複数の検出手段の一例である。
【００５６】
（３．３）変形例３
実施形態では、画像濃度の加重平均値に基づいて画像濃度を調整する例を示したが、現像装置１４内のトナー濃度の加重平均値に基づいてトナー濃度を調整するようにしてもよい。具体的には、次のとおりである。
画像濃度調整を実行する契機として定められた事象のいずれかを検知した場合、制御部４は、第１トナー濃度センサ１７Ａと第２トナー濃度センサ１７Ｂからの出力信号に基づいてトナー濃度を算出し、この２つのトナー濃度の加重平均値を算出することによって、比較位置における加重平均トナー濃度を求める。比較位置は、トナー濃度の加重平均値と目標値とを比較する位置として予め定められた位置であり、例えば、第１トナー濃度センサ１７Ａと第２トナー濃度センサ１７Ｂとを通る直線上の１点である。加重平均値を求めるための重みは、例えば、現像ローラ１４２上のトナー濃度の分布を実験により測定し、この分布に基づいて、上述の式（２）と同様の手法で算出したものである。そして、制御部４は、加重平均トナー濃度と目標トナー濃度との差に基づいて、トナー補給装置１４６からのトナー補給量の調整を行う。
なお、実施形態では、トナー濃度センサ１７として、反射光の強さを表す信号を出力するセンサを用いる例を示したが、透磁率を測定するセンサを設け、測定された透磁率からトナー濃度を算出するようにしてもよい。
【００５７】
要するに、本変形例に係る画像形成装置１００は、光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、前記搬送路上の互いに異なる位置に設けられた、前記トナーの濃度を測定する複数の測定手段と、画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、前記加重平均値算出手段で算出された加重平均値を目標値に近づけるための調整を前記現像装置に施す調整手段とを有することを特徴とする画像形成装置の一例である。
【００５８】
（３．４）変形例４
センサ２４の出力信号を基準値により補正するようにしてもよい。基準値とは、例えば、中間転写体２０の表面にトナー像がない場合の測定値でもよいし、センサ２４内に設けた基準板の測定値でもよいし、反射光がない場合の暗電流に起因する成分でもよい。
（３．５）変形例５
第２実施形態では、定められた期間内のイメージカウント値の１ページ当たりの平均値に基づいて重みを変化させる例を示したが、定められた期間内のイメージカウント値の単位時間当たりの平均値に基づいて重みを変化させるようにしてもよい。また、平均値ではなく累積値に基づいて重みを変化させるようにしてもよい。要するに、定められた期間内のイメージカウント値に基づいて重みを変化させるようにすればよい。
【００５９】
（３．６）変形例６
指示受付部１、画像処理部３、制御部４、記憶部５を画像形成部７と分離して画像形成装置と別体の制御装置として構成し、制御装置と画像形成装置とを通信手段で接続し、この通信手段を介して制御装置が画像形成装置を制御するようにしてもよい。つまり、この制御装置は、コンピュータとして構成されている。
図１６は、制御装置２００及び画像形成装置３００の機能構成を示すブロック図である。制御装置２００は、実施形態に係る画像形成装置１００の機能のうち、濃度算出手段１０３と加重平均値算出手段１０４と調整手段１０５を有し、さらに、画像形成装置３００との間で通信を行う通信手段２０１を有する。画像形成装置３００は、実施形態に係る画像形成装置１００の機能のうち、画像形成手段１０１と検出手段１０２を有し、さらに、制御装置２００との間で通信を行う通信手段３０１を有する。通信手段２０１、３０１は、具体的には通信Ｉ／Ｆ６である。制御装置２００は、通信手段２０１を介して、画像形成装置３００における画像の濃度を調整する契機として定められた事象を検知し、画像形成装置３００に調整用画像２５の形成を指示し、センサ２４の出力信号を取得し、画像形成装置３００の調整の内容を示す情報を画像形成装置３００に送信する。
【００６０】
要するに、本変形例に係る制御装置２００は、光を照射すると表面の電位が変化するローラである感光体と、前記表面を帯電させる帯電装置と、帯電させられた前記表面に画像データに基づく露光により潜像を書き込む露光装置と、前記表面に書き込まれた潜像を現像する現像装置と、現像によって前記表面に形成された画像を、前記感光体の回転に伴って表面が移動させられる像保持体に転写する転写装置とを有する画像形成手段と、前記感光体と前記像保持体のいずれかの表面の移動方向と交差する方向の互いに異なる位置に設けられた、前記画像を光学的に検出する複数の検出手段とを有する画像形成装置との間で通信を行う通信手段と、画像の濃度を調整する契機として定められた事象を検知した場合に、前記画像形成手段により前記感光体と前記像保持体のいずれかの表面に調整用画像を形成し、前記複数の検出手段の出力信号に基づいて前記調整用画像の濃度を算出する濃度算出手段と、前記感光体と前記像保持体のいずれかの表面上の特定の位置における画像の濃度が前記互いに異なる位置の画像の濃度の加重平均によって求められるように前記互いに異なる位置に対して定められた重みを用いて、前記濃度算出手段で算出された濃度の加重平均値を算出する加重平均値算出手段と、前記加重平均値算出手段で算出された加重平均値を前記調整用画像に対応する目標値に近づけるための調整を前記画像形成手段に施す調整手段とを有することを特徴とする制御装置の一例である。
【００６１】
本変形例と同様の変更を変形例３に対して施した場合、係る画像形成装置１００は、光を照射すると表面の電位が変化するローラである感光体と、前記表面を帯電させる帯電装置と、帯電させられた前記表面に画像データに基づく露光により潜像を書き込む露光装置と、外周面を前記表面と対向させて設けられた現像ローラの軸方向に沿う搬送路上を一方向に搬送されるトナーによって前記潜像を現像する現像装置と、現像によって前記表面に形成された画像を、前記感光体の回転に伴って表面が移動させられる像保持体に転写する転写装置とを有する画像形成手段と、前記搬送路上の互いに異なる位置に設けられた、前記トナーの濃度を測定する複数の測定手段とを有する画像形成装置との間で通信を行う通信手段と、画像の濃度を調整する契機として定められた事象を検知した場合に、前記搬送路上の特定の位置におけるトナーの濃度が前記複数の位置のトナーの濃度の加重平均によって求められるように前記複数の位置に対して定められた重みを用いて、前記複数の測定手段で測定された濃度の加重平均値を算出する加重平均値算出手段と、前記加重平均値算出手段で算出された加重平均値を目標値に近づけるための調整を前記現像装置に施す調整手段とを有することを特徴とする制御装置として特定される。
【００６２】
（３．７）変形例７
実施形態では、２成分現像剤を用いた例を示したが、キャリアを含まない１成分現像剤を用いてもよい。
実施形態では、画像形成装置１００が複写機である例を示したが、通信Ｉ／Ｆ６を介して外部からビットマップ形式又はベクタ形式のデータを受信し、このデータに基づいて画像を形成する装置でもよい。
複数の実施形態を組み合わせてもよい。また、実施形態と変形例を組み合わせてもよい。
実施形態では、制御部４がプログラムを実行することによって処理を実行する例を示したが、同様の機能をハードウェアで実装するようにしてもよい。また、このプログラムを、光記録媒体、半導体メモリ等、コンピュータで読み取り可能な記録媒体に記録して提供し、この記録媒体からプログラムを読み取って画像形成装置１００の記憶部５に記憶させるようにしてもよい。また、このプログラムを電気通信回線経由で提供してもよい。
【符号の説明】
【００６３】
１００…画像形成装置、１…指示受付部、２…画像読取部、３…画像処理部、４…制御部、５…記憶部、６…通信Ｉ／Ｆ、７…画像形成部、１０Ｙ、１０Ｍ、１０Ｃ、１０Ｋ…画像形成エンジン、１１…感光体、１２…帯電装置、１３…露光装置、１４…現像装置、１４１…筐体、１４２…現像ローラ、１４３…第１搬送部材、１４４…第２搬送部材、１４５…隔壁、１４６…トナー補給装置、１４１Ａ…開口部、１４１Ｂ…トナー補給口、１４３Ａ…第１搬送路、１４４Ａ…第２搬送路、１４５Ａ、１４５Ｂ…空隙、１５…転写装置、１７Ａ…第１トナー濃度センサ、１７Ｂ…第２トナー濃度センサ、２０…中間転写体、２４Ａ…第１センサ、２４Ｂ…第２センサ、３０…媒体搬送部、１０１…画像形成手段、１０２…検出手段、１０３…濃度算出手段、１０４…加重平均値算出手段、１０５…調整手段、１０６…変更手段、２００…制御装置、３００…画像形成装置、２０１、３０１…通信手段
【図１】
2013041161.tif 000003
【図２】
2013041161.tif 000004
【図３】
2013041161.tif 000005
【図４】
2013041161.tif 000006
【図５】
2013041161.tif 000007
【図６】
2013041161.tif 000008
【図７】
2013041161.tif 000009
【図８】
2013041161.tif 000010
【図９】
2013041161.tif 000011
【図１０】
2013041161.tif 000012
【図１１】
2013041161.tif 000013
【図１２】
2013041161.tif 000014
【図１３】
2013041161.tif 000015
【図１４】
2013041161.tif 000016
【図１５】
2013041161.tif 000017
【図１６】
2013041161.tif 000018